(57)【要約】  見守りシステムは、コストの上昇を抑制しつつ、食品保管庫を使用する見守り対象者のプライバシーを適切に保護し、見守り対象者の生活状況を適切に判定する。見守りシステムは、食品保管庫である冷蔵庫（１０）内に保管されている食材の量に対応する照度レベルを検出する照度センサ（１２）と、照度レベルから食材の量を示す食材量データ値を生成する食材量データ生成部（１３）と、食材量データ値を食材量データ履歴として保存するデータ保存部（１４）と、食材量データ履歴から食材量データ値の時間変化に対応する食材量変化パターンを導出するパターン導出部（１５）と、最新の食材量データ値が、食材量変化パターンに基づく許容範囲内にあるか否かを監視し、前記監視結果に基づく判定情報を出力する判定部（１６）と、判定情報を見守り者の通信端末（５０）に送信する通信部（１７）とを備える。
2019058590.tif 000002
【特許請求の範囲】
【請求項１】
見守り対象者の生活状況を見守り者に通知する見守りシステムであって、
前記見守り対象者が使用する食品保管庫内に保管されている食材の量を検出し、前記食材の量を示す食材量データ値を生成するセンシング手段と、
前記センシング手段で生成された前記食材量データ値を食材量データ履歴として保存するデータ保存部と、
前記食材量データ履歴から前記食材量データ値の時間変化に対応する食材量変化パターンを導出するパターン導出部と、
前記センシング手段によって生成された最新の食材量データ値が、前記食材量変化パターンに基づく許容範囲内にあるか否かを監視し、監視結果に基づく判定情報を出力する判定部と、
前記判定情報を前記見守り者の通信端末に送信する通信部と
を備えたことを特徴とする見守りシステム。
【請求項２】
前記センシング手段は、
前記食品保管庫内を照らす庫内照明と、
前記食品保管庫内の照度レベルを検出する照度センサと、
前記照度レベルから前記食材量データ値を生成する食材量データ生成部と、
を有することを特徴とする請求項１に記載の見守りシステム。
【請求項３】
前記センシング手段は、
前記食品保管庫内を撮影し、撮影画像データを生成するカメラと、
前記撮影画像データから前記食材量データ値を生成する食材量データ生成部と、
を有することを特徴とする請求項１に記載の見守りシステム。
【請求項４】
前記食材量データ生成部は、前記撮影画像データから前記食品保管庫内の照度レベルを算出し、前記照度レベルから前記食材量データ値を生成する
ことを特徴とする請求項３に記載の見守りシステム。
【請求項５】
前記センシング手段は、
前記食品保管庫内にある食材の重量を検出して重量データを出力する重量センサと、
前記重量データから前記食材量データ値を生成する食材量データ生成部と、
を有することを特徴とする請求項１に記載の見守りシステム。
【請求項６】
前記パターン導出部は、
前記食材量データ値の増加の時点を起点とし前記増加の次の増加の時点を終点とする期間を１周期とし、
複数周期の前記食材量データ値から前記食材量変化パターンを導出する
ことを特徴とする請求項１から５のいずれか１項に記載の見守りシステム。
【請求項７】
前記パターン導出部は、
前記食材量データ値の増加の時点を起点とし前記起点から１週間の期間を１周期とし、
複数周期の前記食材量データ値から前記食材量変化パターンを導出する
ことを特徴とする請求項１から５のいずれか１項に記載の見守りシステム。
【請求項８】
前記パターン導出部は、
前記食材量データ値の増加の時点を起点とし前記起点から予め決められた期間を１周期とし、
現在の季節に基づいて前記予め決められた期間を切り換え、
複数周期の前記食材量データ値から前記食材量変化パターンを導出する
ことを特徴とする請求項１から５のいずれか１項に記載の見守りシステム。
【請求項９】
前記パターン導出部は、前記複数周期の前記食材量データ値の平均値から前記食材量変化パターンを導出する
ことを特徴とする請求項６から８のいずれか１項に記載の見守りシステム。
【請求項１０】
前記パターン導出部は、前記複数周期の前記食材量データ値の標準偏差値から前記食材量変化パターンに基づく前記許容範囲を導出する
ことを特徴とする請求項６から９のいずれか１項に記載の見守りシステム。
【請求項１１】
前記判定部は、前記最新の食材量データ値が前記パターン導出部により求められた前記許容範囲外にある時間が予め決められた許容時間以上であるときに、前記見守り対象者の生活状況が異常な状態であると判定する
ことを特徴とする請求項１から１０のいずれか１項に記載の見守りシステム。
【請求項１２】
前記パターン導出部は、前記平均値から前記食材量変化パターンに対する許容乖離率を導出し、前記許容範囲を前記許容乖離率以内の範囲とし、
前記判定部は、前記最新の食材量データ値が前記許容乖離率以上の乖離率である時間が予め決められた許容時間以上であるときに、前記見守り対象者の生活状況が異常な状態であると判定する
ことを特徴とする請求項９に記載の見守りシステム。
【請求項１３】
見守り対象者の生活状況を見守り者に通知する見守り方法であって、
前記見守り対象者が使用する食品保管庫内に保管されている食材の量を検出し、前記食材の量を示す食材量データ値を生成するステップと、
前記食材量データ値を食材量データ履歴としてデータ保存部に保存するステップと、
前記食材量データ履歴から前記食材量データ値の時間変化に対応する食材量変化パターンを導出するステップと、
前記食品保管庫内に保管されている食材の量を検出して得られた最新の食材量データ値が、前記食材量変化パターンに基づく許容範囲内にあるか否かを監視し、監視結果に基づく判定情報を出力するステップと、
前記判定情報を前記見守り者の通信端末に送信するステップと
を有することを特徴とする見守り方法。
【請求項１４】
見守り対象者の生活状況を見守り者に通知する冷蔵庫であって、
前記冷蔵庫内に保管されている食材の量を検出し、前記食材の量を示す食材量データ値を生成するセンシング手段と、
前記センシング手段で生成された前記食材量データ値を食材量データ履歴として保存するデータ保存部と、
前記食材量データ履歴から前記食材量データ値の時間変化に対応する食材量変化パターンを導出するパターン導出部と、
前記センシング手段によって生成された最新の食材量データ値が、前記食材量変化パターンに基づく許容範囲内にあるか否かを監視し、監視結果に基づく判定情報を出力する判定部と、
前記判定情報を前記見守り者の通信端末に送信する通信部と
を備えたことを特徴とする冷蔵庫。
【請求項１５】
見守り対象者が使用する食品保管庫と通信する通信端末であって、
前記食品保管庫内に保管されている食材の量を示す食材量データ値を前記食品保管庫から受信する通信部と、
前記食材量データ値を食材量データ履歴として保存するデータ保存部と、
前記食材量データ履歴から前記食材量データ値の時間変化に対応する食材量変化パターンを導出するパターン導出部と、
前記食品保管庫から受信する最新の食材量データ値が、前記食材量変化パターンに基づく許容範囲内にあるか否かを監視し、監視結果に基づく判定情報を出力する判定部と、
を備えたことを特徴とする通信端末。
【発明の詳細な説明】
【技術分野】
【０００１】
本発明は、見守り対象者の生活状況を見守り者に通知する見守りシステム、見守り方法、冷蔵庫、及び通信端末に関する。
【背景技術】
【０００２】
少子高齢化と核家族化の進展に伴い、高齢者だけからなる世帯が増加している。そのため、互いに離れて生活する高齢者とその親族の双方に安心感を与えるための見守りシステムの需要が高まっている。従来の見守りシステムは、見守り対象者（例えば、高齢者）の居住空間の各所に取り付けられたセンサの検出信号に基づいて、見守り対象者の生活状況を見守り者（例えば、親族）に通知する。この見守りシステムでは、見守り対象者の行動が各所に取り付けられたセンサによって常時監視されているため、居住空間の全域で見守り対象者のプライバシーは保護されておらず、見守り対象者は常に監視されているという不快感を抱く。この点に着目して、見守り対象者が抱く不快感を緩和することが可能なシステム及び装置が提案されている（例えば、特許文献１、２、及び３参照）。【０００３】
特許文献１は、見守り対象者であるユーザーによって使用される容器（冷蔵庫を含む）の中身を撮影し、撮影情報を外部サーバに送信するユーザー側の装置と、容器の中身の現在の撮影情報と過去の撮影情報との差分に基づいてユーザーの安否を判定する外部サーバと、を有するシステムを提案している。【０００４】
特許文献２は、見守り対象者であるユーザーによって使用される冷蔵庫を提案している。この冷蔵庫は、庫外の音声を取得する音声取得手段又は庫外を撮像する撮像手段と、通信手段とを有し、庫外の音声又は映像に基づく音声情報又は映像情報を、通信手段からネットワークを介して外部装置に送信する。【０００５】
特許文献３は、所定のエリア内にある機器のエネルギー使用量に基づいて、見守り対象者であるユーザーの在・不在を判定し、判定結果を外部機関に送信する装置を提案している。
【先行技術文献】
【特許文献】
【０００６】
【特許文献１】特開２０１４−０３８３７４号公報
【特許文献２】特開２０１４−０７０７３９号公報
【特許文献３】特開２０１５−１３９０６６号公報
【発明の概要】
【発明が解決しようとする課題】
【０００７】
しかしながら、特許文献１のシステムは、容器の中身の撮影情報を外部サーバに送信するため、容器の中身が他人に見られるおそれがあり、プライバシーが適切に保護されないという課題がある。また、データサイズが大きい画像データを送信するので、大きな記憶容量を持つメモリと高い処理能力を持つ演算処理部とが必要になり、低コスト化が難しいという課題がある。【０００８】
また、特許文献２の装置は、冷蔵庫の周辺で取得された音声又は映像に基づく音声情報又は映像情報が外部装置に送信されるため、プライバシーが適切に保護されないという課題がある。また、映像情報を送信する場合は、低コスト化が難しいという課題がある。【０００９】
また、特許文献３の装置は、エネルギー使用量に基づいてユーザーの在・不在を判定するだけであり、ユーザーの生活状況を適切に判定することができないという課題がある。【００１０】
本発明は、上記課題を解決するためになされたものであり、コストの上昇を抑制しつつ、食品保管庫を使用する見守り対象者のプライバシーを適切に保護し、生活状況を適切に判定することができる見守りシステム、見守り方法、及び通信端末、並びに、コストの上昇を抑制しつつ、見守り対象者のプライバシーを適切に保護し、生活状況の適切な判定を可能にする冷蔵庫を提供することを目的とする。
【課題を解決するための手段】
【００１１】
本発明に係る見守りシステムは、見守り対象者の生活状況を見守り者に通知する見守りシステムであって、前記見守り対象者が使用する食品保管庫内に保管されている食材の量を検出し、前記食材の量を示す食材量データ値を生成するセンシング手段と、前記センシング手段で生成された前記食材量データ値を食材量データ履歴として保存するデータ保存部と、前記食材量データ履歴から前記食材量データ値の時間変化に対応する食材量変化パターンを導出するパターン導出部と、前記センシング手段によって生成された最新の食材量データ値が、前記食材量変化パターンに基づく許容範囲内にあるか否かを監視し、監視結果に基づく判定情報を出力する判定部と、前記判定情報を前記見守り者の通信端末に送信する通信部とを備えたことを特徴とする。【００１２】
本発明に係る冷蔵庫は、見守り対象者の生活状況を見守り者に通知する冷蔵庫であって、前記冷蔵庫内に保管されている食材の量を検出し、前記食材の量を示す食材量データ値を生成するセンシング手段と、前記センシング手段で生成された前記食材量データ値を食材量データ履歴として保存するデータ保存部と、前記食材量データ履歴から前記食材量データ値の時間変化に対応する食材量変化パターンを導出するパターン導出部と、前記センシング手段によって生成された最新の食材量データ値が、前記食材量変化パターンに基づく許容範囲内にあるか否かを監視し、監視結果に基づく判定情報を出力する判定部と、前記判定情報を前記見守り者の通信端末に送信する通信部とを備えたことを特徴とする。
【発明の効果】
【００１３】
本発明によれば、コストの上昇を抑制しつつ、食品保管庫又は冷蔵庫を使用する見守り対象者のプライバシーを適切に保護し、生活状況を適切に判定することができるという効果が得られる。
【図面の簡単な説明】
【００１４】
【図１】本発明の実施の形態１に係る見守りシステムの構成を概略的に示すブロック図である。
【図２】（ａ）は、実施の形態１に係る冷蔵庫の構造を概略的に示す縦断面図であり、（ｂ）は、扉が開いている冷蔵室内にある食材の例を示す正面図であり、（ｃ）は、庫内照明の光が正面（扉の内面の位置）から見える明部領域と庫内照明の光が食材によって遮られる暗部領域とを示す図である。
【図３】（ａ）から（ｃ）は、庫内照明の光が正面から見える明部領域と庫内照明の光が食材によって遮られる暗部領域とを示す図であり、（ｄ）は、冷蔵室内にある食材の量と照度センサによって検出される照度レベルとの関係をグラフで示す図である。
【図４】（ａ）から（ｃ）は、庫内照明の光が正面から見える明部領域と庫内照明の光が食材によって遮られる暗部領域とを示す図であり、（ｄ）は、照度センサによって検出される照度レベルと経過時間との関係をグラフで示す図であり、（ｅ）は、冷蔵室内にある食材の量と経過時間との関係をグラフで示す図である。
【図５】（ａ）は、冷蔵室内にある食材の量の時間変化の例（３日に１度、食材を購入して補充する例）をグラフで示す図であり、（ｂ）は、冷蔵室内にある食材の量の時間変化の他の例（１週間に３度、食材を購入して補充する例）をグラフで示す図である。
【図６】（ａ）は、冷蔵室内にある食材の量の時間変化の例（３日に１度、食材を購入して補充する例）をグラフで示す図であり、（ｂ）は、食材量データ生成部によって生成された同図（ａ）の食材の量に対応する食材量データ値を点（丸印）で示す図である。
【図７】（ａ）は、冷蔵室内にある食材の量の時間変化の３周期（増加の時点から次の増加の時点までを１周期とする）の例をグラフで示す図であり、（ｂ）は、食材の量の３周期の時間変化を増加の時点（起点）を一致させて描いた図であり、（ｃ）は、食材の量の３周期の時間変化から算出された平均値（食材量変化パターン）とマージン（許容範囲）の上限と下限を示す図である。
【図８】（ａ）から（ｄ）は、食材量変化パターンのマージンの設定方法を示す図である。
【図９】（ａ）から（ｄ）は、実際の食材量データ値の時間変化から、見守り対象者の生活状況が異常な状態であるか否かを判定する方法を示す図である。
【図１０】（ａ）から（ｃ）は、実際の食材量データ値の時間変化から、見守り対象者の生活状況が異常な状態であるか否かを判定する方法を示す図である。
【図１１】（ａ）から（ｃ）は、実際の食材量データ値の時間変化から、見守り対象者の生活状況が異常な状態であるか否かを判定する他の方法を示す図である。
【図１２】（ａ）及び（ｂ）は、食材量データ値の時間変化における週単位の特徴を示す図である。
【図１３】（ａ）から（ｃ）は、食材量データ値の時間変化における季節毎の特徴を示す図である。
【図１４】本発明の実施の形態２に係る見守りシステムの構成を概略的に示すブロック図である。
【図１５】（ａ）から（ｃ）は、実施の形態２に係る冷蔵庫のセンシング手段の重量センサを示す図である。
【図１６】本発明の実施の形態３に係る見守りシステムの構成を概略的に示すブロック図である。
【図１７】（ａ）から（ｃ）は、実施の形態３に係る冷蔵庫のセンシング手段のカメラの撮影画像データから食材量を取得する方法を示す図である。
【図１８】実施の形態１から３の変形例の見守りシステム又は冷蔵庫の構成を示すハードウェア構成図である。
【図１９】本発明の実施の形態４に係る見守りシステムの構成を概略的に示すブロック図である。
【図２０】本発明の実施の形態４に係る見守りシステムの別の構成を概略的に示すブロック図である。
【図２１】本発明の実施の形態５に係る見守りシステムの構成を概略的に示すブロック図である。
【図２２】本発明の実施の形態５に係る見守りシステムの別の構成を概略的に示すブロック図である。
【発明を実施するための形態】
【００１５】
以下に、本発明の実施の形態に係る見守りシステム、見守り方法、冷蔵庫、及び通信端末を、添付図面を参照しながら説明する。以下の実施の形態は、例にすぎず、本発明の範囲内で種々の変更が可能である。
【００１６】
《１》実施の形態１
《１−１》実施の形態１の構成
図１は、本発明の実施の形態１に係る見守りシステムの構成を概略的に示すブロック図である。図１に示される見守りシステムは、食品保管庫としての冷蔵庫１０のユーザーである見守り対象者の生活状況を冷蔵庫１０内（「庫内」ともいう）にある食材の量の変化に基づいて監視し、監視結果に基づく判定情報を見守り者の通信端末５０に送信するシステムである。また、この見守りシステムは、実施の形態１に係る見守り方法を実施することができる。なお、見守り対象者は、例えば、高齢者などであり、見守り者は、例えば、見守り対象者の親族又は見守りサービスを行う企業などである。本実施の形態では、見守り者を見守りサービスセンタ６０として説明する。
【００１７】
図１に示されるように、実施の形態１に係る見守りシステムは、食材を収納する収納装置としての冷蔵庫１０と、インターネットなどのネットワーク４０を介して冷蔵庫１０の通信部１７から送信された情報を受信することができる通信端末（例えば、受信端末）５０とを備えている。この見守りシステムは、見守りサービスセンタ６０のサーバコンピュータ（外部サーバ）６１を備えてもよい。外部サーバ６１は、冷蔵庫１０の通信部１７からネットワーク４０を介して送信された情報を受信し、この情報を見守り者の通信端末５０にネットワークを介して送信する。なお、本出願において「食材」は、食品全般を含む。また、「食材」は、食品そのものだけでなく、食品を収納する容器及び包装なども含む。また、本実施の形態では、ユーザーが、正常な生活状況において、ある程度の規則性を備えた周期で食材を購入して冷蔵庫１０内に入れる（補充する）ことを前提としている。また、ユーザーは、通常の生活状況において、冷蔵庫１０内から食材を取り出して消費する行為を繰り返し行う。なお、本出願において、「食材の購入」は、冷蔵庫への食材の補充を伴う行為であるので、「食材の補充」と同じ意味で用いられる。また、本出願において、「食材の消費」は、冷蔵庫からの食材の取り出しを伴う行為であるので、「食材の取り出し」と同じ意味で用いられる。
【００１８】
図１に示されるように、冷蔵庫１０は、センサ制御部１１と、庫内照明１８と、照度センサ１２と、食材量データ生成部１３と、メモリなどの情報記憶手段であるデータ保存部１４と、パターン導出部１５と、判定部１６と、通信部１７とを備えている。実施の形態１において、庫内照明１８、照度センサ１２、及び食材量データ生成部１３によって、冷蔵庫１０内に収納されている食材の量を検出するセンシング手段が構成される。冷蔵庫１０は、収納物としての食材を低温で保管する機能を実現するための冷却機構（例えば、モータ、コンプレッサ、ファン、冷風路、制御回路など）を持つが、冷却機構自体は、公知技術であるため図示していない。
【００１９】
冷蔵庫１０のセンサ制御部１１は、予め決められたタイミングで庫内の食材の量を検出させるための制御信号を発生する。例えば、センサ制御部１１は、予め決められた一定の時間間隔ごとに、庫内照明１８を点灯させるための制御信号を発生すると共に、照度センサ１２に庫内の照度レベルを検出させるための制御信号を送る。
【００２０】
庫内照明１８は、センサ制御部１１から送信された制御信号に基づいて点灯して、庫内を照明する照明装置である。
【００２１】
照度センサ１２は、センサ制御部１１から送信された制御信号に基づいて、庫内照明１８が点灯しているときの、庫内の照度レベルを検出する。この照度レベルは、庫内の食材の量と負の相関関係（後述の図３（ｄ）に示される）を持つ。したがって、照度レベルの検出によって、庫内の食材の量を測定することが可能である。
【００２２】
食材量データ生成部１３は、照度センサ１２によって検出された照度レベルを受け取り、照度レベルに基づいて、庫内にある食材の量を表わす数値である食材量データ値を生成し、食材量データ値を食材量データ履歴としてデータ保存部１４に保存する。
【００２３】
パターン導出部１５は、データ保存部１４に蓄積された食材量データ履歴である過去の食材量データ値を読み込み、食材量データ値の時間変化の規則性を利用して、ユーザーに特有の規則性を備えた食材の量の変化パターンである食材量変化パターン（一例が、後述の図７（ｃ）に実線の曲線で示される）を導出する。食材量変化パターンは、ユーザーの食生活パターンである。ここで、「食材量データ値の時間変化の規則性」とは、冷蔵庫１０のユーザーに特有の周期で庫内の食材の量が増加し（即ち、食材を購入し）、このユーザーに特有のペースで庫内の食材が徐々に減少する（即ち、食材を消費する）ことである。
【００２４】
判定部１６は、食材量変化パターンに基づいて決められた許容範囲内に、最新の（実際の）食材量データ値が収まっている場合又は許容範囲から外れた時間が許容値以内であるか否かを判断し、この判断の結果から見守り対象者であるユーザーの生活状況が異常な状態にあるか否かを監視し、監視結果に基づく判定情報を出力する。判定部１６の動作の一例は、後述の図９（ａ）から（ｄ）、及び後述の図１０（ａ）から（ｃ）を用いて説明される。また、判定部１６の動作の他の例は、後述の図１１（ａ）から（ｃ）を用いて説明される。
【００２５】
通信部１７は、判定部１６から提供された判定情報を受けて、ネットワーク４０を経由して見守り者の通信端末５０にユーザーの生活状況に関する判定情報を送信する。通信端末５０への判定情報の送信は、例えば、生活状況が異常な状態であるとき、又は、予め決められた周期で、又は、予め決められた時刻に、又は、通信端末５０からの要求信号に応じて行われる。通信部１７は、判定部１６の判定結果を、ネットワーク４０から見守りサービスセンタ６０の外部サーバ６１を経由して見守り者の通信端末５０に送信してもよい。
【００２６】
《１−２》実施の形態１の動作
〈照度センサ１２、庫内照明１８〉
次に、照度センサ１２によって検出される照度レベルから庫内にある食材の量を示す食材量データ値を生成する動作を説明する。図２（ａ）は、実施の形態１に係る冷蔵庫１０の構造（同図（ｂ）のＳ２ａ−Ｓ２ａ線で切る断面構造）を概略的に示す縦断面図である。図２（ｂ）は、扉１０４が開いている冷蔵室１０１内にある食材の例を示す正面図である。図２（ｃ）は、庫内照明１８の光が正面（扉１０４の内面の位置）から見える明部領域と庫内照明１８の光が食材によって遮られる暗部領域（影領域）とを示す図である。
【００２７】
なお、以下の説明では、冷蔵庫１０の貯蔵室が冷蔵室１０１である場合を説明する。したがって、実施の形態において、「庫内」と「冷蔵室１０１内」とは同じ意味で用いられる。ただし、冷蔵室１０１以外の貯蔵室（例えば、野菜室１０６、冷凍室１０５）内にある食材の量に基づいて、ユーザーの食材量変化パターンを生成し、これを判定部１６の判定に用いることも可能である。
【００２８】
図２（ａ）に示されるように、冷蔵室１０１内には、食材が載せられる棚板１０２が備えられており、冷蔵室１０１内を照らす庫内照明１８が冷蔵室１０１の奥側（図２（ａ）における左側）に配置されている。庫内照明１８から照射された光は、直接的に又は壁面と食材の表面で反射されて間接的に、扉１０４の内面の位置まで到達する。扉１０４の内面には、照度センサ１２が配置されており、庫内照明１８から照射された光が直接的に又は間接的に照度センサ１２に到達する。
【００２９】
図２（ｂ）は、冷蔵庫１０を正面から見た図であり、冷蔵室１０１の扉１０４が開いた状態を示している。冷蔵室１０１内には、各種の食材が棚板１０２の上に載せられている。
【００３０】
図２（ｃ）は、図２（ｂ）の冷蔵室１０１の扉１０４を閉じて、庫内照明１８を点灯した状態での冷蔵室１０１の内部が正面（扉１０４側）から、どのように見えるかを示している。冷蔵室１０１の奥側にある庫内照明１８から照射された光の一部は、庫内の壁面及び食材の表面で反射されるが、扉１０４側から見れば、食材は庫内照明１８から照射された光を遮っている。このため、図２（ｃ）に示されるように、冷蔵室１０１内の食材が無い領域が明部領域（白領域として描かれている）を形成し、食材が有る領域が暗部領域（グレー領域として描かれている）を形成する。
【００３１】
なお、冷蔵庫１０の仕様によっては、庫内照明が冷蔵室１０１の側壁の内面の前寄りの位置に設置される場合がある。この場合には、照度センサ１２は、食材を挟んで対角方向の側壁の内面の奥側（即ち、庫内照明に向かい合う内面の奥側）に配置されることが望ましい。
【００３２】
また、図２（ａ）から（ｃ）には、１個の照度センサ１２が示されているが、冷蔵室１０１内において、庫内照明１８の設置位置と反対側の壁面に複数の照度センサを備え、複数の照度センサの検出値（例えば、照度レベルの合計値、平均値、など）に基づいて食材量データ値が生成されてもよい。
【００３３】
図３（ａ）から（ｃ）は、庫内照明１８の光が正面（扉１０４の内面の位置）から見える明部領域と庫内照明１８の光が食材によって遮られる暗部領域とを示す図である。図３（ｄ）は、冷蔵室１０１内にある食材の量と照度センサ１２によって検出される照度レベルとの関係をグラフで示す図である。
【００３４】
図３（ａ）の状態ＳＡは、冷蔵室１０１内にある食材の量が多い場合である。図３（ｂ）の状態ＳＢは、冷蔵室１０１内にある食材の量が中間程度である場合である。図３（ｃ）の状態ＳＣは、冷蔵室１０１内にある食材の量が少ない場合である。図３（ｄ）のグラフは、食材の量が多い状態ＳＡでは照度センサ１２に到達する光の量が少ない（食材によって遮られる光の量が多い）ので照度レベルが低い。また、食材の量が中間である状態ＳＢでは照度センサ１２に到達する光の量が中間程度である（食材によって遮られる光の量が中間程度である）ので照度レベルが中間程度である。また、食材の量が少ない状態ＳＣでは照度センサ１２に到達する光の量が多い（食材によって遮られる光の量が少ない）ので照度レベルが高くなることを示している。このように、照度センサ１２によって検出される照度レベルと、冷蔵室１０１内の食材の量との間には負の相関関係がある。
【００３５】
図４（ａ）から（ｃ）は、庫内照明１８の光が正面（扉１０４の内面の位置）から見える明部領域と庫内照明１８の光が食材によって遮られる暗部領域とを示す図である。図４（ｄ）は、照度センサ１２によって検出される照度レベルと経過時間との関係をグラフで示す図である。図４（ｅ）は、冷蔵室１０１内にある食材の量と経過時間との関係をグラフで示す図である。
【００３６】
図４（ａ）から（ｃ）に示されるように、冷蔵室１０１内にある食材は、時間の経過に伴って消費される。具体的に言えば、図４（ａ）は、食材を購入し、その食材を冷蔵室１０１内に入れた直後（補充した直後）の状態ＳＡを示す。図４（ｂ）は、日常生活の中で冷蔵室１０１内にある食材を取り出して消費したときの状態ＳＢを示す。図４（ｃ）は、日常生活の中で冷蔵室１０１内にある食材をさらに取り出して消費されたときの状態ＳＣを示す。つまり、冷蔵室１０１内に食材を補充した直後は、図４（ａ）に状態ＳＡとして示されるように、冷蔵室１０１内にある食材の量は多い。時間が経過すると、図４（ｂ）に状態ＳＢと示されるように、冷蔵室１０１内の食材の量は減少する。さらに時間が経過すると、図４（ｃ）に状態ＳＣとして示されるように、冷蔵室１０１内の食材の量はさらに減少する。このように、状態ＳＡ、ＳＢ、ＳＣの各々は、冷蔵室１０１内の状態の変化過程の中の、ある一場面を示している。
【００３７】
図４（ｄ）には、図４（ａ）、（ｂ）、（ｃ）の順の冷蔵室１０１内の状態の変化、すなわち、状態ＳＡ、ＳＢ、ＳＣの順の変化が、照度センサ１２によって検出される照度レベルと経過時間の関係のグラフとして示されている。つまり、図４（ｄ）のグラフは、時間の経過に伴って（食材の取り出しによって）冷蔵室１０１内にある食材の量が減少する場合には、照度レベルが上昇することを示している。冷蔵室１０１内の照度レベルの変化は、ユーザーによる食材の取り出し（食材の消費）により生じるので、照度レベルは、食材の取り出しのタイミングごとにステップ状に上昇する。
【００３８】
図４（ｅ）には、図４（ａ）、（ｂ）、（ｃ）の順の冷蔵室１０１内の状態の変化、すなわち、状態ＳＡ、ＳＢ、ＳＣの順の変化が、冷蔵室１０１内にある食材の量と経過時間の関係のグラフとして示されている。つまり、図４（ｅ）のグラフは、時間の経過に伴って（食材の取り出しによって）冷蔵室１０１内にある食材の量が減少することを示している。冷蔵室１０１内の食材の量の変化は、ユーザーによる食材の取り出し（食材の消費）により生じるので、食材の量は、食材の取り出しのタイミングごとにステップ状に減少する。
【００３９】
〈食材量データ生成部１３〉
図５（ａ）は、冷蔵室１０１内にある食材の量の時間変化の例（３日に１度、食材を購入して補充する例）をグラフで示す図である。図５（ｂ）は、冷蔵室１０１内にある食材の量の時間変化の他の例（１週間に３度、食材を購入して補充する例）をグラフで示す図である。図５（ａ）及び（ｂ）に示される食材の量の変化は、典型的な例に過ぎず、異なる食材の量の変化も起こりうる。
【００４０】
図５（ａ）及び（ｂ）における横軸において、数字「１」から「７」は経過日数を示し、「Ｂ」は朝食の時刻を示し、「Ｌ」は昼食の時刻を示し、「Ｄ」は夕食の時刻を示している。即ち、図５（ａ）及び（ｂ）の例では、朝食Ｂ、昼食Ｌ、夕食Ｄの時点で、冷蔵室１０１内にある食材の量が減る。数字「１」から「７」が付された目盛りは、昼食Ｌと夕食Ｄの間に位置しており、１日単位の区切りの時点を示している。このことは、ユーザーが、昼食Ｌと夕食Ｄの間に食材を購入し、冷蔵室１０１に食材を補充することを意味する。
【００４１】
図５（ａ）及び（ｂ）に示されるように、冷蔵室１０１内の食材の量の増加及び減少（即ち、食材の量の変化）は、ユーザーに特有のある程度の規則性を備えている。ただし、実際には、朝食Ｂ、昼食Ｌ、夕食Ｄ以外のタイミングで冷蔵庫１０の食材が消費されたり、ユーザーの食生活が、１日３食以外の食事を含むものであったりすることがある。ユーザーに特有の規則性を備えた食材量変化パターンは、後述するパターン導出部１５によって導出される。
【００４２】
図６（ａ）は、冷蔵室１０１内にある食材の量の時間変化の例（３日に１度、食材を購入して補充する例）をグラフで示す図である。図６（ｂ）は、食材量データ生成部１３によって生成された図６（ａ）の食材の量に対応する食材量データ値を点（丸印）で示す図である。
【００４３】
図６（ａ）は、図５（ａ）と同じ食材の量と経過日の関係を示している。図６（ｂ）は、図６（ａ）に示される食材の量を、予め決められたサンプリングの間隔でデータ化することで得られた食材量データ値を示している。サンプリングの間隔（図６（ｂ）の横軸の隣り合う目盛りの間隔）は、食材が取り出される時間間隔と判定結果の送信の時間間隔とを考慮して、過剰なデータ生成が行われないように、例えば、数十分から数時間の間の適切な時間に設定される。
【００４４】
食材量データ値は、時系列データであるので、時間軸方向に図示すれば図６（ｂ）のようになる。食材量データ値は、食材量データ生成部１３から、サンプリングごとのデータ値として順次出力される。
【００４５】
データ保存部１４には、食材量データ生成部１３から出力された食材量データ値が蓄積される。食材量データ値は、例えば、時刻と関連付けられた食材量データ履歴として、又は、データの順番を示す数値と関連付けられた食材量データ履歴として保存されることが望ましい。
【００４６】
〈パターン導出部１５〉
パターン導出部１５は、データ保存部１４からある一定期間の食材量データ値を読み出し（即ち、過去の食材量データ値から）、食材量データ値の時間変化のパターン、即ち、ユーザーに特有の規則性を備えた食材量変化パターンを導出する。図７（ａ）は、冷蔵室１０１内にある食材の量の３周期ＰＴ１〜ＰＴ３（増加の時点から次の増加の時点までを１周期とする）の時間変化をグラフで示す図である。図７（ｂ）は、食材の量の３周期の時間変化を増加の時点（起点）を一致させて描いた図である。図７（ｃ）は、食材の量の３周期ＰＴ１〜ＰＴ３の時間変化から算出された平均値（すなわち、ユーザーに特有の規則性を備えた食材量変化パターンの例）と、食材量変化パターンのマージン（許容範囲）の上限と下限を示す図である。
【００４７】
図７（ａ）において、食材量データ値が大きく増加している部分は、食材の購入（即ち、食材の補充）の時点を示しており、この時点から次の食材の購入（即ち、次の食材の補充）の時点までを１周期としている。時間軸に付した目盛りは、サンプリングの時点を示しており、食材量データ値は、数回のサンプリングごとに値が変化している。これは、庫内から食材を取り出す周期より短い周期でサンプリングが行われるように設定されているからである。
【００４８】
図７（ｂ）では、複数周期の食材量データ値の変化を、食材量データ値が増加している時点（すなわち、食材を購入し補充する時点）を一致させて、重ねて示されている。食材の消費の量（取り出し量）と消費（取り出し）の時間間隔は、冷蔵庫１０のユーザーが同じであったとしても、ある程度のばらつきがある。このばらつきは、図７（ｂ）に示されるように、「食材量データ値の変化のばらつき」と「周期のばらつき」として現すことができる。図７（ｂ）に示されるように、「食材量データ値の変化のばらつき」は、あるサンプリング時における複数周期の食材量データ値の差分で表すことができる。図７（ｂ）に示されるように、「周期のばらつき」は、複数周期の食材量データ値の変化の周期の差分で表すことができる。
【００４９】
図７（ｃ）には、複数周期の食材量データ値の平均値が、実線の曲線で示されている。図７（ｃ）の実線の曲線は、複数周期の食材量データ値の平均値であるので、冷蔵庫１０のユーザーの平均的な食材量変化パターンを示す。この食材の量の変化は、ユーザーの日々の生活においてばらつくものである。このため、図７（ｃ）に２本の破線の曲線で示されるように、パターン導出部１５は、食材量変化パターンを「食材量データ値の変化マージン」と「周期マージン」を加味した形で出力する。
【００５０】
図８（ａ）から（ｄ）は、食材量変化パターンのマージンの設定方法を示す図である。パターン導出部１５は、図８（ｄ）に示される平均値、即ち、食材量変化パターンにマージンを加味することで「食材量データ値の変化マージン」と「周期マージン」を設定する。
【００５１】
図８（ａ）は、図７（ｂ）の食材量データ値の時間変化、即ち、食材を購入し補充することによって食材量データ値が大きく増加する時点を一致させた、複数周期の食材量データ値のグラフを重ね描きしたものである。図８（ｂ）に示されるように、食材量データ値の変化の分布が正規分布であると仮定した場合、分布の中心は平均値に相当する。したがって、食材量データ値の時間変化の平均値は、図８（ｄ）に実線の曲線で示されるように変化する。同様に、図８（ｃ）に示されるように、食材量データ値の時間変化の周期が正規分布になると仮定した場合、分布の中心は平均値に相当する。したがって、食材量データ値の時間変化の平均値は、図８（ｄ）に示される実線の曲線の右側の端部のようになる。さらに、分布の標準偏差σを求めて、例えば、「食材量データ値の変化マージン」と「周期マージン」を±２σの範囲と設定すると、食材量変化パターンの元になった食材量データ値の９５％が、「食材量データ値の変化マージン」と「周期マージン」の範囲内、即ち、図８（ｄ）の２本の破線の曲線の間に収まる。なお、図８（ｄ）の食材量変化パターンのマージンは、あくまで一例であり、「食材量データ値の変化マージン」と「周期マージン」は、±２σの範囲に限定されない。
【００５２】
〈判定部１６〉
判定部１６は、食材量データ生成部１３から出力される最新の（現状の）食材量データ値の変化が、パターン導出部１５から出力される食材量変化パターンの「食材量データ値の変化マージン」及び「周期マージン」の範囲から、予め決められた判断基準以上に乖離しているか否かを監視（判断）し、この監視結果に基づく判定情報を生成する。
【００５３】
図９（ａ）から（ｄ）は、実際の食材量データ値の時間変化から、見守り対象者の生活状況が異常な状態であるか否かを判定する方法を示す図である。
【００５４】
図９（ａ）は、見守り対象者の生活状況が正常な状態であるときの例を示している。２本の破線の曲線は、食材量変化パターンの許容範囲の上限と下限を示している。また、食材の購入（食材の補充）と次の食材の購入（次の食材の補充）の間の期間を１周期とする。判定部１６は、図９（ａ）に示されるように、実際の食材量データ値（実線）が、食材量変化パターンの許容範囲内で時間と共に推移する状況である場合には、生活状況が異常な状態ではない、即ち、正常な状態であると判定する。
【００５５】
図９（ｂ）は、見守り対象者の生活状況が正常な状態であるときの他の例を示している。図９（ｂ）の例では、実際の食材量データ値（実線）が、食材量変化パターンの許容範囲から一時的にはずれている。しかし、予め決められた許容時間以内に、実際の食材量データ値（実線）が、食材量変化パターンの許容範囲内に復帰している。判定部１６は、このような状況の場合、生活状況が異常な状態であると判定せず、正常な状態であると判定する。
【００５６】
図９（ｃ）は、見守り対象者の生活状況が異常な状態であるときの例を示している。図９（ｃ）の例では、実際の食材量データ値が食材量変化パターンの許容範囲からはずれ、予め決められた許容時間を越えて食材量変化パターンの許容範囲外にある。判定部１６は、このような状況の場合、生活状況が異常な状態であると判定する。
【００５７】
図９（ｄ）は、見守り対象者の生活状況が異常な状態であるときの他の例を示している。図９（ｄ）の例では、実際の食材量データ値が食材量変化パターンの許容範囲からはずれ、次の食材の購入のタイミングまでの期間が予め決められた許容時間を超えている。判定部１６は、このような状況の場合、生活状況が異常な状態であると判定する。
【００５８】
図１０（ａ）から（ｃ）は、実際の食材量データ値の時間変化から、見守り対象者の生活状況が異常な状態であるか否かを判定する方法を示す図である。
【００５９】
図１０（ａ）は、見守り対象者の生活状況が正常な状態であるときの例を示している。図１０（ａ）の例では、実際の食材量データ値（実線）の減少が早く、食材量変化パターンの許容範囲よりも時間的に早い側にはずれている。しかし、予め決められた許容時間以内に、実際の食材量データ値（実線）が、食材量変化パターンの許容範囲内に復帰している。判定部１６は、このような状況の場合、生活状況が異常な状態であると判定せず、正常な状態であると判定する。
【００６０】
図１０（ｂ）は、見守り対象者の生活状況が異常であるときの例を示している。図１０（ｂ）の例では、実際の食材量データ値の減少が早くて食材量変化パターンの許容範囲からはずれ、予め決められた許容時間を越えて食材量変化パターンの許容範囲外にある。判定部１６は、このような状況の場合、ユーザーの生活状況が異常であると判定する。
【００６１】
図１０（ｃ）は、見守り対象者の生活状況が異常であるときの他の例を示している。図１０（ｃ）の例では、実際の食材量データ値は、食材量変化パターンの許容範囲からはずれることなく推移するが、次の食材の購入のタイミングが早く、予め決められた許容時間を超えて周期はずれが継続している。判定部１６は、このような状況の場合、ユーザーの生活状況が異常な状態であると判定する。
【００６２】
図１１（ａ）から（ｃ）は、実際の食材量データ値の時間変化から、見守り対象者の生活状況が異常な状態であるか否かを判定する他の方法を示す図である。
【００６３】
図１１（ａ）は、食材量データ値の時間変化の複数周期ＰＴ１〜ＰＴ３分を重ね描きしたものであり、パターン導出部１５は、これらに基づいて平均値を求めて食材量変化パターン（図１１（ｂ）及び（ｃ）の平均値）を導出する。判定部１６では、予めユーザーの生活状況の異常の有無の判定の基準とする乖離率（許容乖離率）を決めておき、それに基づいてユーザーの生活状況の異常の有無の判定を行う。
【００６４】
図１１（ｂ）は、見守り対象者の生活状況が異常であるときの例を示している。図１１（ｂ）の例では、実際の食材量データ値の変化が、平均値に対して許容乖離率を超える値はずれている。判定部１６は、このような状況の場合、ユーザーの生活状況が異常な状態であると判定する。
【００６５】
図１１（ｃ）は、見守り対象者の生活状況が異常であるときの他の例を示している。図１１（ｂ）の例では、実際の食材量データ値の変化が、平均値に対して許容乖離率以内で推移しているが、次の食材の購入のタイミングが遅くなり、周期が許容乖離率を超える周期はずれが生じている。判定部１６は、このような状況の場合、ユーザーの生活状況が異常な状態であると判定する。
【００６６】
乖離率は、最新の食材量データ値、即ち、実際の食材量データ値から、以下の式によって算出される。
【００６７】
【数１】
2019058590.tif 000003
【００６８】
図１２（ａ）及び（ｂ）は、食材量データ値の時間変化における週単位の特徴を示す図である。
【００６９】
以上の例では、食材量データ値の増加のタイミング（「食材の購入」のタイミング）を一致させて複数周期の食材量データ値から食材量変化パターンを求める方法を用いたが、食材量変化パターンとしては、１週間単位の特徴（１週間単位の規則性）が生じる場合がある。例えば、食品を販売するスーパーマーケットでは、曜日ごとに特売の食品を設定している事例が多く、このことが、ユーザーの行動パターンに影響することが推測される。図１２（ａ）及び（ｂ）は、１週間に３度の食材の購入を行う場合を示している。図１２（ａ）及び（ｂ）に示されるように、食材量変化パターンの１周期を１週間とし、ユーザーの生活状況の判定を、図１２（ｂ）の食材量変化パターンの許容範囲に基づいて行ってもよい。この場合には、曜日による偏りを考慮した判定ができるので、ユーザーの生活状況が異常な状態であるか否かの判定の信頼性を向上させることが可能である。
【００７０】
図１３（ａ）から（ｃ）は、食材量データ値の時間変化における季節毎の特徴を示す図である。
【００７１】
食材量変化パターンは、季節に応じて変化することがある。例えば、水分摂取の多い季節（例えば、夏）と少ない季節（例えば、冬）、市場に出回る食材の鮮度が長く維持できる季節（例えば、冬）と長く維持できない季節（例えば、夏）、食材の購入のための外出が楽な季節（例えば、春及び秋）と辛い季節（例えば、夏及び冬）など、季節によって食材量変化パターンに現れる特徴が変化する。このため、季節ごとに食材量変化パターンを切り替えることによって、ユーザーの生活状況の異常の有無の判定の信頼性を向上させることが可能である。
【００７２】
図１３（ａ）は、食材量変化パターンの１周期が長く、食材の量の変化が小さい季節である季節＃１の食材量変化パターンの許容範囲を示している。図１３（ｂ）は、食材量変化パターンの１周期が短く、食材の量の変化が大きい季節である季節＃２の食材量変化パターンの許容範囲を示している。図１３（ｃ）は、食材量変化パターンの１周期が中間的であり、食材の量の変化が中間的である季節である季節＃３の食材量変化パターンの許容範囲を示している。
【００７３】
季節＃１から季節＃２に移行する途中に中間的な季節＃３、季節＃２から季節＃１に移行する途中に中間的な季節＃３の食材量変化パターンが現れる場合には、季節に合わせて複数の食材量変化パターンを順次切り替えることにより、食材量変化パターンの変化に対応可能になる。この場合には、ユーザーの生活状況の異常の有無の判定の信頼性を向上させることが可能である。
【００７４】
なお、図１２（ａ）及び（ｂ）に示される曜日の要因に対応した食材量変化パターンを用いるためには、予め曜日の要因に対応した１週間を１周期とする食材量変化パターンを導出するための食材量データ値をデータ保存部１４に蓄積しておく必要がある。また、図１３（ａ）から（ｃ）に示される季節の要因に対応した食材量変化パターンを用いるためには、予め季節の要因に対応した食材量変化パターンを導出するための各季節の食材量データ値をデータ保存部１４に蓄積しておく必要がある。
【００７５】
さらに、パターン導出部１５が複数種類の食材量変化パターンを求め、判定部１６が、複数種類の食材量変化パターンの許容範囲を用いて、ユーザーの生活状況が異常な状態であるか否かの判定を行うようにしてもよい。この場合には、食材量変化パターンの個人差に適切に対処することができ、判定の信頼性を向上させることができる。
【００７６】
〈通信部１７〉
通信部１７は、例えば、ユーザーの生活状況が異常な状態にあるときには、ネットワーク４０を介して見守り者の通信端末５０に状況を通知する。
【００７７】
本実施の形態１では、照度から食材量データ値に変換して、食材量の変化から食生活パターンを抽出し、そのパターンからのはずれの有無を検出することにより、ユーザーの生活状況の異常の判定を行っているが、照度データそのものを利用して同様の判定を行っても良い。
【００７８】
《１−３》実施の形態１の効果
以上に説明したように、実施の形態１に係る見守りシステム、見守り方法、及び冷蔵庫１０では、食材の量を食材量データ値に変換して、食材量データ値の増加及び減少の履歴から冷蔵庫１０のユーザーの食材量変化パターンを導出し、最新の食材量データ値が食材量変化パターンに準じた変化（概ね許容範囲内の変化）をするか否かに基づいて、冷蔵庫１０のユーザーの生活状況が異常な状態であるか否かを判定する。この場合には、画像データのようなサイズの大きいデータを送信する必要がないので、装置のコストの上昇を抑制することができる。また、画像データを送信していないので、冷蔵庫１０を使用する見守り対象者のプライバシーを適切に保護することができる。また、ユーザーの日常の食生活に密接に関係している冷蔵庫１０内の食材の量に基づいて、ユーザーの生活状況を監視し、生活状況が異常な状態であるか否かを判定するので、判定の信頼性を向上させることができる。
【００７９】
また、実施の形態１に係る見守りシステム、見守り方法、及び冷蔵庫１０では、食材の量を、庫内照明１８と照度センサ１２によって検出しており、カメラを必要としていないので、ユーザーのプライバシーは確実に保護される。
【００８０】
また、実施の形態１に係る見守りシステム、見守り方法、及び冷蔵庫１０では、食材量データ値の増加及び減少の履歴から冷蔵庫１０のユーザーの食材量変化パターンを導出する際に、食材量データ値の増加のタイミングを起点とし、起点と次の起点の間を１周期とするように構成したので、適切な食材量変化パターンが取得可能であり、判定部の判定の信頼性を向上させることができる。
【００８１】
また、実施の形態１に係る見守りシステム、見守り方法、及び冷蔵庫１０では、起点を揃えた食材量データ値の時間変化の１周期分について、起点から同じ時間ごとに平均値及び標準偏差を求め、食材量データ値の時間変化の中心を平均値により定義し、許容範囲（余裕範囲）を標準偏差により定義するように構成している。このため、ユーザーの食材量変化パターンとして統計的に妥当な許容範囲（余裕範囲）を定義することができる。
【００８２】
また、実施の形態１に係る見守りシステム、見守り方法、及び冷蔵庫１０では、食材量データ値の最新の変化が食材量変化パターンの余裕範囲の外に、予め決められた許容時間を超えてはずれたときに、ユーザーの生活状況が異常な状態であると判断するように構成した。このため、ユーザーの食材量変化パターンに対する乖離状況を適切に判断することができ、生活状況が正常な状態であるにもかかわらず、異常な状態であると判定する誤判定を減らすことができる。
【００８３】
また、実施の形態１に係る見守りシステム、見守り方法、及び冷蔵庫１０では、食材量データ値の最新の変化が食材量変化パターンとしての平均値に対して、予め決められた許容乖離率を超えたときにユーザーの生活状況が異常な状態であると判断するように構成できる。この場合には、ユーザーの食材量変化パターンに対する乖離状況に基づいて生活状況の異常の有無を判定することができる。
【００８４】
また、実施の形態１に係る見守りシステム、見守り方法、及び冷蔵庫１０では、食材量データ値の増加及び減少の履歴から冷蔵庫１０のユーザーの食材量変化パターンを導出する際に、１週間単位で食材量データ値の増減の規則性を示す食材量変化パターンを導出するように構成することが可能である。この場合には、曜日による食材量データ値の増減の偏り傾向に適切に対応することができ、生活状況の異常の有無の判定の信頼性を向上させることができる。
【００８５】
また、実施の形態１に係る見守りシステム、見守り方法、及び冷蔵庫１０では、食材量データ値の増加及び減少の履歴から冷蔵庫１０のユーザーの食材量変化パターンを導出する際に、現在の季節に応じて食材量データ値の増減の規則性を示す食材量変化パターンを導出するように構成することができる。この場合には、季節による食材量データ値の増減の偏り傾向に適切に対応することができ、生活状況の異常の有無の判定の信頼性を向上させることができる。
【００８６】
また、実施の形態１に係る見守りシステム、見守り方法、及び冷蔵庫１０では、食材量データ値の増加及び減少の履歴から、複数種類の食材量変化パターンを導出し、複数種類の食材量変化パターンを用いて、ユーザーの生活状況の異常の有無の判定を行うことができる。この場合には、食材量変化パターンの個人差に対処し易くなり、生活状況の異常の有無の判定の信頼性を向上させることができる。
【００８７】
《２》実施の形態２
図１４は、本発明の実施の形態２に係る見守りシステムの構成を概略的に示すブロック図である。図１４において、図１に示される構成要素と同一又は対応する構成要素には、図１に示される符号と同じ符号が付される。図１４に示されるように、実施の形態２に係る見守りシステムは、食品保管庫としての冷蔵庫２０の庫内にある食材の量を検出するセンシング手段が、重量センサ２２ａ及び２２ｂと重量センサ２２ａ及び２２ｂの出力から庫内の食材の量を示す食材量データ値を生成する食材量データ生成部２３とを有する点が、実施の形態１に係る見守りシステムと異なる。この点を除いて、実施の形態２は、実施の形態１と同じである。
【００８８】
図１５（ａ）は、冷蔵庫２０の縦断面図である。図１５（ｂ）及び（ｃ）は、冷蔵庫２０のセンシング手段の重量センサ２２ａ及び２２ｂを示す断面図である。
【００８９】
図１５（ａ）において、図２（ａ）に示される構成要素と同一又は対応する構成要素には、図２（ａ）に示される符号と同じ符号が付される。冷蔵庫２０の冷蔵室１０１内には、食材を載せるための棚板１０８が備えられており、冷凍室１０５内及び野菜室１０６内にはケース１０９が備えられている。
【００９０】
図１５（ｂ）には、棚板１０８の断面が示されており、図１５（ｃ）には、ケース１０９の底部の断面が示されている。棚板１０８は、棚板本体１０８ａと、計量板１０８ｂと、重量センサ２２ａとにより構成されている。ケース１０９は、ケース本体１０９ａと、計量板１０９ｂと、重量センサ２２ｂとにより構成されている。食材は、計量板１０８ｂ及び１０９ｂの上に置かれ、重量センサ２２ａ及び２２ｂにより食材の重量が測定される。重量センサ２２ａ及び２２ｂとしては、例えば、接触部分に作用する圧力の大きさに応じて抵抗値が変化する感圧センサ又は歪ゲージなどを採用することができる。１枚の計量板１０８ｂ又は１０９ｂを複数の重量センサ２２ａ又は２２ｂで支持する場合には、複数の重量センサ２２ａ又は２２ｂの出力を加算することで、重量を算出することができる。
【００９１】
食材の量の変化は、直接的に重量の変化で表すことが可能であるので、実施の形態２の冷蔵庫２０は、実施の形態１の冷蔵庫１０に比べ、食材の量を高精度に測定することが可能である。
【００９２】
また、実施の形態２では、冷蔵室１０１内の複数の棚板１０８の各々に載置された食材の量の変化を検出することができ、さらに、冷凍室１０５又は野菜室１０６の各ケース１０９に収納された食材の量の変化を検出することができる。このように、食材の量の変化を、詳細に検出できるので、見守り対象者の生活状況の判定の信頼性を向上させることが可能である。
【００９３】
以上に説明したように、実施の形態２に係る見守りシステム、見守り方法、及び冷蔵庫２０では、画像データのようなサイズの大きいデータを外部に送信する必要がないので、装置のコストの上昇を抑制することができる。また、画像データを外部に送信していないので、冷蔵庫２０を使用する見守り対象者のプライバシーを適切に保護することができる。また、ユーザーの日常の食生活に密接に関係している冷蔵庫２０内の食材の量に基づいて、ユーザーの生活状況を監視し、生活状況が異常な状態であるか否かを判定するので、判定の信頼性を向上させることができる。
【００９４】
さらに、実施の形態２に係る見守りシステム、見守り方法、及び冷蔵庫２０では、食材の量の増加及び減少の検出に、重量センサ２２ａ及び２２ｂの検出値を用いるので、コストの上昇を抑制しつつ、冷蔵庫２０を使用する見守り対象者のプライバシーを適切に保護し、生活状況を適切に判定することができる。
【００９５】
《３》実施の形態３
図１６は、本発明の実施の形態３に係る見守りシステムの構成を概略的に示すブロック図である。図１６において、図１に示される構成要素と同一又は対応する構成要素には、図１に示される符号と同じ符号が付される。図１６に示されるように、実施の形態３に係る見守りシステムは、食品保管庫としての冷蔵庫３０の冷蔵室１０１内にある食材の量を検出するセンシング手段が、冷蔵室１０１内を撮影するカメラ３２と、カメラ３２によって取得された画像に基づいて冷蔵室１０１内の食材の量を示す食材量データ値を生成する食材量データ生成部３３とを有する点が、実施の形態１に係る見守りシステムと異なる。この点を除いて、実施の形態３は、実施の形態１と同じである。
【００９６】
図１７（ａ）は、冷蔵庫３０の縦断面図である。図１７（ｂ）及び（ｃ）は、冷蔵庫３０のセンシング手段のカメラ３２の撮影画像から食材の量を示す食材量データ値を生成する方法を示す図である。カメラ３２は、扉１０４の内面に備えられているが、他の位置に供えられてもよい。また、カメラの台数は１台に限らず、２台以上であってもよい。
【００９７】
図１７（ａ）において、図２（ａ）に示される構成要素と同一又は対応する構成要素には、図２（ａ）に示される符号と同じ符号が付される。冷蔵庫３０の冷蔵室１０１内には、カメラ３２が備えられており、図１７（ｂ）に示されるような撮影画像が得られる。
【００９８】
図１７（ｂ）は、カメラ３２による冷蔵室１０１の撮影画像を示しており、庫内照明１８に照らされて、食材の位置又は表面のディテールに応じて色々な諧調で表現されている。図１７（ｃ）は、撮像画像に対して閾値処理をした後の画像を、２値化して表示している。
【００９９】
実施の形態３においては、例えば、撮影画像の全画面から画素値の平均値を算出し、画素値の平均値を閾値として、閾値以上の明るさの画素と、閾値未満の明るさの画素とからなる、２値化された画像データ（図１７（ｃ））を取得し、２値化された画像データから照度レベルを取得してもよい。以降の処理は、実施の形態１の場合と同様である。この場合には、平均的明るさを求める際の演算量を削減することができる。
【０１００】
以上に説明したように、実施の形態３に係る見守りシステム、見守り方法、及び冷蔵庫３０では、画像データのようなサイズの大きいデータを外部に送信する必要がないので、装置のコストの上昇を抑制することができる。また、画像データを外部に送信していないので、冷蔵庫３０を使用する見守り対象者のプライバシーを適切に保護することができる。また、ユーザーの日常の食生活に密接に関係している冷蔵庫３０内の食材の量に基づいて、ユーザーの生活状況を監視し、生活状況が異常な状態であるか否かを判定するので、判定の信頼性を向上させることができる。
【０１０１】
さらに、実施の形態３に係る見守りシステム、見守り方法、及び冷蔵庫３０では、食材の量を食材量データ値に変換する方法として、カメラ３２による撮影画像を数値化して用いるので、ユーザーのプライバシーを保護しつつ正確に食材の量の変化を把握することができる。このため、生活状況が異常な状態であるか否かの判定の信頼性を向上させることができる。
【０１０２】
《４》変形例
図１８は、実施の形態１から３の変形例の見守りシステムの外部サーバ６１又は冷蔵庫１０，２０，３０の構成を示すハードウェア構成図である。
【０１０３】
実施の形態１から３におけるセンサ制御部１１、食材量データ生成部１３，２３，３３、パターン導出部１５、及び判定部１６の全体又は一部は、ソフトウェアとしてのプログラムを格納する記憶装置としてのメモリ９１と、メモリ９１に格納されたプログラムを実行する情報処理部としてのプロセッサ９２とを用いて（例えば、コンピュータにより）実現することができる。
【０１０４】
また、実施の形態１から３及びそれらの変形例の見守りシステムのプロセッサ９２は、
見守り対象者が使用する冷蔵庫１０，２０，３０内に保管されている食材の量を検出し、食材の量を示す食材量データ値を生成するステップと、
食材量データ値を食材量データ履歴としてデータ保存部１４に保存するステップと、
食材量データ履歴から食材量データ値の時間変化に対応する食材量変化パターンを導出するステップと、
冷蔵庫１０，２０，３０内に保管されている食材の量を検出して得られた最新の（現状の）食材量データ値が、食材量変化パターンに基づく許容範囲内にあるか否かを監視し、監視結果に基づく判定情報を出力するステップと、
判定情報を見守り者の通信端末５０に送信するステップと
を有する見守り方法を実施することができる。
この見守り方法によれば、画像データのようなサイズの大きいデータを送信する必要がないので、装置のコストの上昇を抑制することができる。また、画像データを送信していないので、冷蔵庫を使用する見守り対象者のプライバシーを適切に保護することができる。また、ユーザーの日常の食生活に密接に関係している冷蔵庫内の食材の量に基づいて、ユーザーの生活状況を監視し、生活状況が異常な状態であるか否かを判定するので、判定の信頼性を向上させることができる。
【０１０５】
《５》実施の形態４
図１の冷蔵庫１０、図１４の冷蔵庫２０、図１６の冷蔵庫３０では、それぞれ食材量の検出から許容範囲内又は許容範囲外の判定までを行い、判定結果のみをネットワーク４０を介して通信端末５０及び見守りサービスセンタ６０に送信する構成を示している。しかしながら、この形態に限定されるわけではなく、食材量の検出とパターン導出までを冷蔵庫で行い、食材量の検出結果とパターン導出結果を見守りサービスセンタ６０に送付する構成としても良い。
【０１０６】
図１９は、本発明の実施の形態４に係る見守りシステムの構成を概略的に示すブロック図である。図１９において、図１に示される構成要素と同一又は対応する構成要素には、図１に示される符号と同じ符号が付される。実施の形態４に係る見守りシステムは、判定部１１６を見守りサービスセンタ１１０の外部サーバ１１１に備えている点が、実施の形態１に係る見守りシステムと異なる。この点を除いて、実施の形態４は、実施の形態１と同じである。
【０１０７】
図１９に示されるように、実施の形態４に係る見守りシステムは、食材を収納する食品保管庫としての冷蔵庫７０と、インターネットなどのネットワーク４０を介して冷蔵庫７０の通信部１７から送信された情報を受信することができる見守りサービスセンタ１１０と、見守りサービスセンタ１１０の通信部１１３から送信された情報を受信することができる通信端末５０とを備えている。
【０１０８】
冷蔵庫７０は、センサ制御部１１と、庫内照明１８と、照度センサ１２と、食材量データ生成部１３と、データ保存部１４と、パターン導出部１５と、通信部１７とを備えている。見守りサービスセンタ１１０は、通信部１１２，１１３、外部サーバ１１１とを備えている。外部サーバ１１１には判定部１１６が備えられている。
【０１０９】
食材量データ生成部１３から出力される最新の（現状の）食材量データ値が通信部１７に出力される。また、パターン導出部１５から出力される食材量変化パターンの「食材量データ値の変化マージン」及び「周期マージン」が通信部１７に出力される。通信部１７は、食材量データ値、食材量データ値の変化マージン、及び食材量データ値の周期マージンを、ネットワーク４０を介して見守りサービスセンタ１１０の通信部１１２に送信する。
【０１１０】
見守りサービスセンタ１１０の外部サーバ１１１に備えられた判定部１１６は、通信部１１２から食材量データ値、食材量データ値の変化マージン、及び食材量データ値の周期マージンを受け取る。冷蔵庫７０と外部サーバ１１１との間のデータ送信のタイミングとしては、新たに食材量データ値を生成する度に送信するのが妥当であるが、パターン導出結果についてはその変化が頻繁に起こることはなく、食材量データ値の送信よりも疎らな間隔で送信するように構成しても良い。
【０１１１】
判定部１１６は、食材量データ生成部１３から出力される最新の（現状の）食材量データ値の変化が、パターン導出部１５から出力される食材量変化パターンの「食材量データ値の変化マージン」及び「周期マージン」の範囲から、予め決められた判断基準以上に乖離しているか否かを監視（判断）し、この監視結果に基づく判定情報を生成する。
【０１１２】
通信部１１３は、例えば、ユーザーの生活状況が異常な状態にあるときには、見守り者の通信端末５０に状況を通知する。
【０１１３】
また、見守りサービスセンタを利用せず、通信端末上でユーザーの生活状況が異常であるか否かの判定を行ってもよい。図２０は、本発明の実施の形態４に係る見守りシステムの別の構成を概略的に示すブロック図である。図２０において、見守りサービスセンタの代わりに通信端末１２０がネットワーク４０を介して冷蔵庫７０の通信部１７から送信された情報を受信することができる点が図１９に示す見守りシステムと異なる。通信端末１２０には通信部１２１及び判定部１２６が備えられている。この場合の通信端末５０上に判定部１２６を備える形態としては、スマートフォンのアプリをインストールするような方法が考えられる。判定部１２６の動作については前述と同様である。
【０１１４】
なお、実施の形態２及び実施の形態３で説明した見守りシステム、見守り方法、及び冷蔵庫においても、判定部を見守りサービスセンタに設置したり、判定部を通信端末に備えたりしてもよい。
【０１１５】
以上に説明したように、実施の形態４に係る見守りシステム、見守り方法では、画像データのようなサイズの大きいデータを外部に送信する必要がないので、装置のコストの上昇を抑制することができる。また、画像データを外部に送信していないので、冷蔵庫７０を使用する見守り対象者のプライバシーを適切に保護することができる。また、ユーザーの日常の食生活に密接に関係している冷蔵庫７０内の食材の量に基づいて、ユーザーの生活状況を監視し、生活状況が異常な状態であるか否かを判定するので、判定の信頼性を向上させることができる。
【０１１６】
また、実施の形態４に係る見守りシステム、見守り方法では、冷蔵庫７０の外部でユーザーの生活状況が異常な状態であるか否かを判定するので、他の家電機器の使用状況や天候などの生活環境の情報を加えて判定することができるようになる。
【０１１７】
《６》実施の形態５
図１の冷蔵庫１０、図１４の冷蔵庫２０、図１６の冷蔵庫３０では、それぞれ食材量の検出から許容範囲内又は許容範囲外の判定までを行い、判定結果のみをネットワーク４０を介して通信端末５０及び見守りサービスセンタ６０に送信する構成を示しているが、この形態に限定されるわけではなく、食材量の検出までを冷蔵庫で行い、検出結果を見守りサービスセンタ６０に送付する構成としても良い。
【０１１８】
図２１は、本発明の実施の形態５に係る見守りシステムの構成を概略的に示すブロック図である。図２１において、図１に示される構成要素と同一又は対応する構成要素には、図１に示される符号と同じ符号が付される。実施の形態５に係る見守りシステムは、データ保存部１３４、パターン導出部１３５、及び判定部１３６を見守りサービスセンタ１３０の外部サーバ１３１に配置する点が、実施の形態１に係る見守りシステムと異なる。この点を除いて、実施の形態５は、実施の形態１と同じである。
【０１１９】
図２１に示されるように、実施の形態５に係る見守りシステムは、食材を収納する食品保管庫としての冷蔵庫８０と、インターネットなどのネットワーク４０を介して冷蔵庫８０の通信部１７から送信された情報を受信することができる見守りサービスセンタ１３０と、見守りサービスセンタ１３０の通信部１３３から送信された情報を受信することができる通信端末５０とを備えている。
【０１２０】
冷蔵庫８０は、センサ制御部１１と、庫内照明１８と、照度センサ１２と、食材量データ生成部１３と、通信部１７とを備えている。見守りサービスセンタ１３０は、通信部１３２、１３３、外部サーバ１３１とを備えている。外部サーバ１３１には、データ保存部１３４と、パターン導出部１３５と、判定部１３６とが備えられている。
【０１２１】
食材量データ生成部１３から出力される最新の（現状の）食材量データ値が通信部１７に出力される。通信部１７は、食材量データ値を、ネットワーク４０を介して見守りサービスセンタ１３０の通信部１３２に送信する。
【０１２２】
見守りサービスセンタ１３０の外部サーバ１３１に備えられたデータ保存部１３４及び判定部１３６は、通信部１３２から食材量データ値を受け取る。冷蔵庫８０と外部サーバ１３１との間のデータ送信のタイミングとしては、新たに食材量データ値を生成する度に送信するのが妥当である。
【０１２３】
データ保存部１３４と、パターン導出部１３５と、判定部１３６の動作については実施の形態１で説明した動作と同じである。判定部１３６は、食材量データ値の変化が、パターン導出部１３５から出力される食材量変化パターンの「食材量データ値の変化マージン」及び「周期マージン」の範囲から、予め決められた判断基準以上に乖離しているか否かを監視（判断）し、この監視結果に基づく判定情報を生成する。
【０１２４】
通信部１３３は、例えば、ユーザーの生活状況が異常な状態にあるときには、見守り者の通信端末５０に状況を通知する。
【０１２５】
また、見守りサービスセンタを利用せず、通信端末上でユーザーの生活状況が異常であるか否かの判定を行ってよい。図２２は、本発明の実施の形態５に係る見守りシステムの別の構成を概略的に示すブロック図である。図２２において、見守りサービスセンタの代わりに通信端末１４０がネットワーク４０を介して冷蔵庫８０の通信部１７から送信された情報を受信することができる点が図２１に示す見守りシステムと異なる。通信端末１４０には、通信部１４１、データ保存部１４４、パターン導出部１４５と、及び判定部１４６が備えられている。この場合の通信端末１４０上に判定部１４６を備える形態としては、スマートフォンのアプリをインストールするような方法が考えられる。判定部１４６の動作については前述と同様である。
【０１２６】
なお、実施の形態２及び実施の形態３で説明した見守りシステム、見守り方法、及び冷蔵庫においても、データ保存部、パターン導出部及び判定部を見守りサービスセンタに設置したり、データ保存部、パターン導出部及び判定部を通信端末に備えたりしてもよい。
【０１２７】
以上に説明したように、実施の形態５に係る見守りシステム、見守り方法では、画像データのようなサイズの大きいデータを外部に送信する必要がないので、装置のコストの上昇を抑制することができる。また、画像データを外部に送信していないので、冷蔵庫８０を使用する見守り対象者のプライバシーを適切に保護することができる。また、ユーザーの日常の食生活に密接に関係している冷蔵庫８０内の食材の量に基づいて、ユーザーの生活状況を監視し、生活状況が異常な状態であるか否かを判定するので、判定の信頼性を向上させることができる。
【０１２８】
また、実施の形態５に係る見守りシステム、見守り方法では、冷蔵庫８０の外部でユーザーの生活状況が異常な状態であるか否かを判定するので、他の家電機器の使用状況や天候などの生活環境の情報を加えて判定することができるようになる。また、見守りサービスセンタ又は通信端末が有する食材量変化パターン、食材量データ値の変化マージン及び周期マージンのデータベースを利用することがきるので、食材量変化パターンの導出や食材量データ値の変化マージン、周期マージンの設定を最適に行うことができる。
【０１２９】
なお、全ての実施の形態において、食品を保管する食品保管庫を冷蔵庫として説明したが、本発明を冷蔵庫以外の保管庫に食品を保管する場合にも適用してよい。食品保管庫としては、冷蔵・冷凍機能を有しない食品保管庫、屋内に設置する食品保管室や食品保管棚などがある。これらの食品保管庫に保存する食品は、保存期間が長いため、冷蔵庫に保管する場合に比べて食材量データの時間変化の周期が長くなるが、用途に合わせて食材量データの変化パターンを導出する。
【符号の説明】
【０１３０】
１０，２０，３０，７０，８０  冷蔵庫、  １１  センサ制御部、  １２  照度センサ、  １３，２３，３３  食材量データ生成部、  １４，１３４，１４４  データ保存部、  １５，１３５，１４５  パターン導出部、  １６，１１６，１２６，１３６，１４６  判定部、  １７，１１２，１１３，１２１，１３２，１３３，１４１  通信部、  １８  庫内照明、  ２２ａ，２２ｂ  重量センサ、  ３２  カメラ、  ４０  ネットワーク、  ５０，１２０，１４０  通信端末、  ６０，１１０，１３０  見守りサービスセンタ、  ６１，１１１，１３１  外部サーバ、  １０１  冷蔵室、  １０２  棚板、  １０４  扉。
【図１】
2019058590.tif 000004
【図２】
2019058590.tif 000005
【図３】
2019058590.tif 000006
【図４】
2019058590.tif 000007
【図５】
2019058590.tif 000008
【図６】
2019058590.tif 000009
【図７】
2019058590.tif 000010
【図８】
2019058590.tif 000011
【図９】
2019058590.tif 000012
【図１０】
2019058590.tif 000013
【図１１】
2019058590.tif 000014
【図１２】
2019058590.tif 000015
【図１３】
2019058590.tif 000016
【図１４】
2019058590.tif 000017
【図１５】
2019058590.tif 000018
【図１６】
2019058590.tif 000019
【図１７】
2019058590.tif 000020
【図１８】
2019058590.tif 000021
【図１９】
2019058590.tif 000022
【図２０】
2019058590.tif 000023
【図２１】
2019058590.tif 000024
【図２２】
2019058590.tif 000025
【国際調査報告】
2019058590.tif 000026
2019058590.tif 000027
2019058590.tif 000028
2019058590.tif 000029